【手続補正書】
【提出日】平成16年4月1日(2004.4.1)
【手続補正１】
【補正対象書類名】明細書
【補正対象項目名】発明の名称
【補正方法】変更
【補正の内容】
【発明の名称】情報ネットワークシステム及び通信端末並びに通信端末の制御方法、プログラム、及び記録媒体
【手続補正２】
【補正対象書類名】明細書
【補正対象項目名】特許請求の範囲
【補正方法】変更
【補正の内容】
【特許請求の範囲】
【請求項１】
インターネットに接続可能とされたコンピュータネットワークと、
上記インターネットに接続可能なコンピュータネットワークのサーバと公衆回線を介して接続される通信端末とからなる情報ネットワークシステムにおいて、
広告情報を提供するサーバを設け、
上記通信端末は、上記公衆回線を介して上記インターネットに接続可能なコンピュータネットワーク網と接続されると、
上記インターネットに接続可能とされたコンピュータネットワーク網のサーバを介して送られてきた情報中に、上記広告情報を取り込むことを示す情報が存在するか否かを判断し、
上記広告情報を取り込むことを示す情報が存在していると判断されたら、上記広告情報を取り込むことを示す情報で指定された広告情報を提供するサーバから広告情報を取り込み、上記広告情報を提供するサーバから取り込まれた上記広告情報を保存し、
待ち時間であるか否かを判断し、待ち時間なら、上記保存されている広告情報を表示する
ようにしたことを特徴とする情報ネットワークシステム。
【請求項２】
上記待ち時間は、上記通信端末が現在の情報の表示から次の情報の表示に移る迄の情報表示切り換え待ち時間である請求項１記載の情報ネットワークシステム。
【請求項３】
上記待ち時間は、上記通信端末が上記公衆回線を介して上記コンピュータネットワークのサーバに接続される迄のサーバ接続待ち時間である請求項１記載の情報ネットワークシステム。
【請求項４】
インターネットに接続可能とされたコンピュータネットワークのサーバと公衆回線を介して接続するための通信手段と、
上記インターネットに接続可能とされたコンピュータネットワークのサーバを介して送られてきた情報中に、広告情報を取り込むことを示す情報が存在するか否かを判断する手段と、
上記広告情報を取り込むことを示す情報が存在していると判断されたら、上記広告情報を取り込むことを示す情報で指定された広告情報を提供するサーバから広告情報を取り込む手段と、
上記広告情報を提供するサーバから取り込まれた上記広告情報を保存する手段と、
待ち時間であるか否かを判断し、待ち時間なら、上記保存されている広告情報を表示する手段と
からなる通信端末。
【請求項５】
上記待ち時間は、上記通信端末が現在の情報の表示から次の情報の表示に移る迄の情報表示切り換え待ち時間である請求項４記載の通信端末。
【請求項６】
上記待ち時間は、上記通信端末が上記公衆回線を介して上記コンピュータネットワークのサーバと接続される迄のサーバへの接続待ち時間である請求項４記載の通信端末。
【請求項７】
インターネットに接続可能とされたコンピュータネットワークのサーバと公衆回線を介して接続するためのステップと、
上記インターネットに接続可能とされたコンピュータネットワークのサーバを介して送られてきた情報中に、広告情報を取り込むことを示す情報が存在するか否かを判断するステップと、
上記広告情報を取り込むことを示す情報が存在していると判断されたら、上記広告情報を取り込むことを示す情報で指定された広告情報を提供するサーバから広告情報を取り込むステップと、
上記広告情報を提供するサーバから取り込まれた上記広告情報を保存するステップと、
待ち時間であるか否かを判断し、待ち時間なら、上記保存されている広告情報を表示するステップと
からなる通信端末の制御方法。
【請求項８】
インターネットに接続可能とされたコンピュータネットワークのサーバと公衆回線を介して接続するためのステップと、
上記インターネットに接続可能とされたコンピュータネットワークのサーバを介して送られてきた情報中に、広告情報を取り込むことを示す情報が存在するか否かを判断するステップと、
上記広告情報を取り込むことを示す情報が存在していると判断されたら、上記広告情報を取り込むことを示す情報で指定された広告情報を提供するサーバから広告情報を取り込むステップと、
上記広告情報を提供するサーバから取り込まれた上記広告情報を保存するステップと、
待ち時間であるか否かを判断し、待ち時間なら、上記保存されている広告情報を表示するステップと
を通信端末に実行させるためのプログラム。
【請求項９】
インターネットに接続可能とされたコンピュータネットワークのサーバと公衆回線を介して接続するためのステップと、
上記インターネットに接続可能とされたコンピュータネットワークのサーバを介して送られてきた情報中に、広告情報を取り込むことを示す情報が存在するか否かを判断するステップと、
上記広告情報を取り込むことを示す情報が存在していると判断されたら、上記広告情報を取り込むことを示す情報で指定された広告情報を提供するサーバから広告情報を取り込むステップと、
上記広告情報を提供するサーバから取り込まれた上記広告情報を保存するステップと、
待ち時間であるか否かを判断し、待ち時間なら、上記保存されている広告情報を表示するステップと
を通信端末に実行させるためのプログラムを記録した読み取り可能な記録媒体。
【手続補正３】
【補正対象書類名】明細書
【補正対象項目名】０００１
【補正方法】変更
【補正の内容】
【０００１】
【発明の属する技術分野】
この発明は、情報ネットワークシステム及び通信端末並びに通信端末の制御方法、プログラム、及び記録媒体に関するもので、特に、インターネットの接続サービスを行なうプロバイダと、ＰＨＳシステムを使ってインターネットに接続される通信端末とからなるシステムに係わる。


【手続補正４】
【補正対象書類名】明細書
【補正対象項目名】００１２
【補正方法】変更
【補正の内容】
【００１２】
したがって、この発明の目的は、インターネットサービスプロバイダを利用してインターネットに接続する際に、待ち時間に広告情報を表示できるようにして、待ち時間を有効的に活用できるようにした情報ネットワークシステム及び通信端末並びに通信端末の制御方法、プログラム、及び記録媒体を提供することにある。


【手続補正５】
【補正対象書類名】明細書
【補正対象項目名】００１３
【補正方法】変更
【補正の内容】
【００１３】
請求項１に係わる発明は、インターネットに接続可能とされたコンピュータネットワークと、インターネットに接続可能なコンピュータネットワークのサーバと公衆回線を介して接続される通信端末とからなる情報ネットワークシステムにおいて、広告情報を提供するサーバを設け、通信端末は、公衆回線を介してインターネットに接続可能なコンピュータネットワーク網と接続されると、インターネットに接続可能とされたコンピュータネットワーク網のサーバを介して送られてきた情報中に、広告情報を取り込むことを示す情報が存在するか否かを判断し、広告情報を取り込むことを示す情報が存在していると判断されたら、広告情報を取り込むことを示す情報で指定された広告情報を提供するサーバから広告情報を取り込み、広告情報を提供するサーバから取り込まれた広告情報を保存し、待ち時間であるか否かを判断し、待ち時間なら、保存されている広告情報を表示するようにしたことを特徴とする情報ネットワークシステムである。
請求項４に係わる発明は、インターネットに接続可能とされたコンピュータネットワークのサーバと接続するための通信手段と、インターネットに接続可能とされたコンピュータネットワークのサーバを介して送られてきた情報中に、広告情報を取り込むことを示す情報が存在するか否かを判断する手段と、広告情報を取り込むことを示す情報が存在していると判断されたら、広告情報を取り込むことを示す情報で指定された広告情報を提供するサーバから広告情報を取り込む手段と、広告情報を提供するサーバから取り込まれた広告情報を保存する手段と、待ち時間であるか否かを判断し、待ち時間なら、保存されている広告情報を表示する手段とからなる通信端末である。
【手続補正６】
【補正対象書類名】明細書
【補正対象項目名】００１４
【補正方法】変更
【補正の内容】
【００１４】
請求項７に係わる発明は、インターネットに接続可能とされたコンピュータネットワークのサーバと公衆回線を介して接続するためのステップと、インターネットに接続可能とされたコンピュータネットワークのサーバを介して送られてきた情報中に、広告情報を取り込むことを示す情報が存在するか否かを判断するステップと、広告情報を取り込むことを示す情報が存在していると判断されたら、広告情報を取り込むことを示す情報で指定された広告情報を提供するサーバから広告情報を取り込むステップと、広告情報を提供するサーバから取り込まれた広告情報を保存するステップと、待ち時間であるか否かを判断し、待ち時間なら、保存されている広告情報を表示するステップとからなる通信端末の制御方法である。
請求項８に係わる発明は、インターネットに接続可能とされたコンピュータネットワークのサーバと公衆回線を介して接続するためのステップと、インターネットに接続可能とされたコンピュータネットワークのサーバを介して送られてきた情報中に、広告情報を取り込むことを示す情報が存在するか否かを判断するステップと、広告情報を取り込むことを示す情報が存在していると判断されたら、広告情報を取り込むことを示す情報で指定された広告情報を提供するサーバから広告情報を取り込むステップと、広告情報を提供するサーバから取り込まれた広告情報を保存するステップと、待ち時間であるか否かを判断し、待ち時間なら、保存されている広告情報を表示するステップとを通信端末に実行させるためのプログラムである。
請求項９に係わる発明は、インターネットに接続可能とされたコンピュータネットワークのサーバと公衆回線を介して接続するためのステップと、インターネットに接続可能とされたコンピュータネットワークのサーバを介して送られてきた情報中に、広告情報を取り込むことを示す情報が存在するか否かを判断するステップと、広告情報を取り込むことを示す情報が存在していると判断されたら、広告情報を取り込むことを示す情報で指定された広告情報を提供するサーバから広告情報を取り込むステップと、広告情報を提供するサーバから取り込まれた広告情報を保存するステップと、待ち時間であるか否かを判断し、待ち時間なら、保存されている広告情報を表示するステップとを通信端末に実行させるためのプログラムを記録した読み取り可能な記録媒体である。
【手続補正７】
【補正対象書類名】明細書
【補正対象項目名】００３６
【補正方法】変更
【補正の内容】
【００３６】
また、蓋体５１には、窓部５７が設けられる。図３Ａに示すように、蓋体５１が閉じられているときには、この窓部５７を介して、ディスプレイ５５の一部が露呈される。図３Ｂに示すように、蓋体５１が開かれると、ディスプレイ５５全体が露呈される。このディスプレイ５５上にはタッチパネルが配設されている。蓋体５１が開かれた状態では、ディスプレイ５５上のタッチパネルを押圧することにより、各種の入力を行なうことができる。


【手続補正８】
【補正対象書類名】明細書
【補正対象項目名】００３８
【補正方法】変更
【補正の内容】
【００３８】
情報端末として利用する際には、図３Ｂに示すように、蓋体５１が開かれる。情報端末として利用できる機能としては、住所録機能、電話帳機能、スケジュール管理機能、メモ機能、通信機能等があり、蓋体５１が開かれると、ディスプレイ５５上に、これらの機能を利用するための各種のアイコンやキーが表示される。ディスプイ５５上に表示されたアイコンやキーを押圧することにより、情報端末としての必要な機能が動作される。


【手続補正９】
【補正対象書類名】明細書
【補正対象項目名】００３９
【補正方法】変更
【補正の内容】
【００３９】
通信機能を利用して、インターネットに接続する場合には、蓋体５１が開かれ、ディスプレイ５５上のインターネット接続のキーやアイコンが押圧される。これにより、ＰＨＳ一体型情報端末９は、インターネットサービスプロバイダのコンピュータネットワーク１（図１）のアクセスポイント５に繋がり、認証が終了すると、コンピュータネットワーク１のサーバと接続され、インターネット３に接続可能となる。


【手続補正１０】
【補正対象書類名】明細書
【補正対象項目名】００４１
【補正方法】変更
【補正の内容】
【００４１】
なお、ディスプレイ５５の大きさには限りがあり、ＷＷＷのページを全て表示することができない場合がある。そこで、コンピュータネットワーク１のＰＨＳサーバ２５に、表示加工機能をもたせておき、ＰＨＳ一体型携帯情報端末９のディスプレイ５５上での表示が見やすくなるように、ＷＷＷのページの画面を加工することが考えられる。


【手続補正１１】
【補正対象書類名】明細書
【補正対象項目名】００６０
【補正方法】変更
【補正の内容】
【００６０】
次のコンテンツのページにアクセスされると、図５Ｄに示すように、次のページが表示される。なお、次のコンテンツのページ中に、広告情報を取り込むためのタグが設けられている場合には、他の情報の通信が行なわれていない間に、バックグラウンドで、そのタグで指定されている広告情報を提供するサーバからの広告情報が取り込まれ、この広告情報がそれまでフラッシュメモリ６４に保存されていた広告情報に置き換えられる。


【手続補正１２】
【補正対象書類名】明細書
【補正対象項目名】００７３
【補正方法】変更
【補正の内容】
【００７３】
図８において、あるコンテンツのページを表示されている間に（ステップＳＴ２１）、次のコンテンツのページに移るか否かが判断される（ステップＳＴ２２）。次のコンテンツのページに移る場合には、前回までに、広告情報が保存されているか否かが判断される（ステップＳＴ２３）。前回までに、広告情報が保存さていれば、次のコンテンツにアクセスするまでの待ち時間に、その広告情報が表示される（ステップＳＴ２４）。そして、次のコンテンツにアクセスされたら、次のコンテンツのページが表示される（ステップＳＴ２５）。前回までに、広告情報が保存されていなければ、次のコンテンツのページが表示される（ステップＳＴ２５）。ステップＳＴ２３で広告情報が保存されていないと判断されたら、次のコンテンツにアクセスされ、次のコンテンツのページが表示される（ステップＳＴ２５）。


【手続補正１３】
【補正対象書類名】明細書
【補正対象項目名】００８１
【補正方法】変更
【補正の内容】
【００８１】
ページＰ３へのアクセスが完了すると、図９Ｅに示すように、ページＰ３が表示される。このページＰ３に、広告情報ＡＤＶ２を取り込むことを示すタグがある。この場合、ページＰ３が表示されながら、バックグラウンドで、広告情報ＡＤＶ２が取り込まれる。